(57)【要約】【課題】  片手のみで操作することができ、巻紙の引出し及び切断動作を誤動作無く円滑に行うことができる紙巻器を提供することを可能にする。【解決手段】  紙巻器１０は、壁１１に固定する紙巻器基部１２に、巻紙１３を支える支軸１４を取付けるとともに上下スイング可能に蓋２０を取付け、この蓋２０の先端で巻紙１３を切断する形式のものである。蓋２０は、巻紙１３の先をほぼ水平に引出したとき（図示せず。）の巻紙１３の先に載る横長部材２１と、この横長部材２１に設けると共に巻紙１３の先をほぼ鉛直に引き下げたときの巻紙１３の先に噛み込む刃部２２とからなる移動体２３を、蓋２０の先端に移動可能に取付け、横長部材２１を巻紙１３のほぼ外周に沿って斜めに昇降させる斜めガイド部２４を蓋２０側に設けた。【選択図】      図２
2005230105.tif 000002
【特許請求の範囲】
【請求項１】
壁に固定する紙巻器基部に、巻紙を支える支軸を取付けるとともに上下スイング可能に蓋を取付け、この蓋の先端で巻紙を切断する形式の紙巻器において、
巻紙の先をほぼ水平に引出したときの巻紙の先に載せる横長部材と、この横長部材に設けると共に前記巻紙の先をほぼ鉛直に引き下げたときの巻紙の先に噛み込ませる刃部とからなる移動体を、前記蓋の先端に移動可能に取付け、
前記横長部材を巻紙のほぼ外周に沿って斜めに昇降させる斜めガイド部を前記蓋側に設けたことを特徴とする紙巻器。
【発明の詳細な説明】
【技術分野】
【０００１】
本発明は、本発明は、トイレットぺーパーに代表される巻紙を支える紙巻器に関するものである。
【背景技術】
【０００２】
水洗式トイレの普及に伴って、水溶性の巻紙が使用され、この巻紙を支える紙巻器（ペーパーホルダーとも呼ばれる。）が、トイレルームの壁に常備される様になってきた。
【０００３】
紙巻器は、壁に固定する紙巻器ケースに、巻紙を支える支軸及び上下スイング可能に蓋を取付け、この蓋を巻紙の上に載せる構造のものが広く採用されている。
トイレ利用者は、一方の手で巻紙を必要長さ引出し、他方の手で蓋を押え、この蓋の先端で巻紙を切断する如くに両手で巻紙及び紙巻器を操作する。
【０００４】
しかし、片手が不自由であるトイレ利用者が、従来の紙巻器を利用しようとすると、蓋が宙に浮いて巻紙が切断できないという不都合が発生する。
そこで、片手のみで操作可能な紙巻器が求められ、この要望に応える提案がなされている。（例えば、特許文献１）。
【特許文献１】特開平７−１６３４８５号公報（第４頁、図５、６）
【０００５】
特許文献１を次図に基づいて説明する。
図７は従来の技術の基本構成を説明する図である。
（ａ）において基本構成を説明する。ロールシートホルダー１００は、ホルダー本体１０１の下側にあるシートカバー１０２で押えたロール紙１０３をロール軸１０４に取付け、シートカバー１０２をばね１０５に枢軸１０６及び上端軸受部１０７を介して取付け、ばね１０５の下端に下端軸受部１０８、ばね１０５の上部に上端頚部１０９を備え、また、ばね１０５の下端に備えた下端頚部１１０を制止体１１１で両側から押えてなる。
なお、１１２はストッパーピン、１１３はカッターである。
【０００６】
（ｂ）は（ａ）の状態のばね１０５とシートカバー１０２の作用を示す図であり、ばね１０５の中央肉厚部分の撓みによる復元力は、回転力となって矢印Ａの如く上端頚部１０９に働き、枢軸１０６に時計方向の回転トルクを与える。この結果、矢印Ｂの如くシートカバー１０２が下方へ押される。
【０００７】
図８は従来技術においてシートカバーを上方に起立させたときの説明図である。
（ａ）において基本構成は図７の（ａ）と同じであるので符号を流用し、詳しい説明を省略する。
（ｂ）は（ａ）の状態のばね１０５とシートカバー１０２の作用を示す。ばね１０５は、シートカバー１０２を上方へ回転する途中では、想像線に示すようにシートカバー１０２を下向きに付勢する。しかし、ばね１０５は、このときのばね力に抗したときに上端頚部１０９を上方に突きだし撓み方向を反転し、シートカバー１０２を矢印Ｃの如く押上げる。
【０００８】
したがって、特許文献１のロールシートホルダー１００は、片手による操作が可能である。しかし、ロールシートホルダー１００は、シートカバー１０２の付勢力を固定とするために、巻紙種及び巻紙サイズによっては巻紙が引出す途中で切れる。また、巻紙切断動作時にシートカバー１０２の付勢力が弱まり、巻紙の回転を止められない場合がある。
【発明の開示】
【発明が解決しようとする課題】
【０００９】
本発明は、片手のみで操作することができ、巻紙の引出し及び切断動作を誤動作無く円滑に行うことができる紙巻器を提供することを課題とする。
【課題を解決するための手段】
【００１０】
請求項１に係る発明は、壁に固定する紙巻器基部に、巻紙を支える支軸を取付けるとともに上下スイング可能に蓋を取付け、この蓋の先端で巻紙を切断する形式の紙巻器において、
巻紙の先をほぼ水平に引出したときの巻紙の先に載せる横長部材と、この横長部材に設けると共に巻紙の先をほぼ鉛直に引き下げたときの巻紙の先に噛み込ませる刃部とからなる移動体を、蓋の先端に移動可能に取付け、
横長部材を巻紙のほぼ外周に沿って斜めに昇降させる斜めガイド部を蓋側に設けたことを特徴とする。
【発明の効果】
【００１１】
請求項１に係る発明では、巻紙の先をほぼ水平に引出したときの巻紙の先に載せる横長部材と、この横長部材に設けると共に巻紙の先をほぼ鉛直に引き下げたときの巻紙の先に噛み込ませる刃部とからなる移動体を、蓋の先端に移動可能に取付けた。
移動体は、巻紙の先を移動体の一部である横長部材の下面に接触させてほぼ水平に前方に引張ると、巻紙の先に横長部材を載せる形になるので、横長部材に設けて横長部材と一体である刃部を巻紙から浮かすことができる。
【００１２】
一方、巻紙の先をほぼ鉛直に引き下げたとき、巻紙の先が移動体の一部である横長部材の下面から離れるので、移動体は、自体を巻紙側に接近させ、移動体の一部である刃部を巻紙の一端に噛み込ませる。
この状態において、使用者は、巻紙の先端をさらに下方に引張ることにより、移動体の一部である刃部で巻紙の先端を円滑に切取ることができる。
【００１３】
また、請求項１では、横長部材を巻紙のほぼ外周に沿って斜めに昇降させる斜めガイド部を蓋側に設けた。
斜めガイド部は、横長部材及び刃部からなる移動体に連結するので、巻紙の動きに連動した移動体の動作を円滑に補助することができる。
【００１４】
以上より、横長部材と刃部とからなる移動体、移動体に連結し移動体の動きに追従する斜めガイド部、上下スイング可能に取付けた蓋を含む紙巻器は、片手で巻紙の先をほぼ水平に引き、続いて巻紙の先を下方へ引き刃部を巻紙の一端に噛み込ませ、さらに巻紙の先を下方へ引く単純な操作のみで、必要量の巻紙を切取ることができるという利点がある。
したがって、請求項１によれば、片手のみで操作することができ、巻紙の引出し及び切断動作を誤動作無く円滑に行うことができる紙巻器を提供することができる。
【発明を実施するための最良の形態】
【００１５】
本発明を実施するための最良の形態を添付図に基づいて以下に説明する。なお、図面は符号の向きに見るものとする。
図１は本発明に係る紙巻器の斜視図であり、紙巻器１０は、壁１１に固定する紙巻器基部１２に、巻紙１３を支える支軸１４（図示せず。）及び上蓋２０を取付け、この上蓋２０を巻紙１３の上部に載せる形式の構造物である。
【００１６】
蓋２０は、蓋２０の先端に横長部材２１と、この横長部材２１に一体に結合した刃部２２と、これら横長部材２１及び刃部２２とを移動体２３とし、この移動体２３の刃部２２に連結する斜めガイド部２４と、この斜めガイド部２４と嵌合して斜めガイド部２４をスライドさせる蓋前部３０の蓋前方側面部３１とから構成する。
【００１７】
図２は図１の断面図であり、紙巻器１０は、壁１１に固定する紙巻器基部１２に、巻紙１３を支える支軸１４を取付けるとともに上下スイング可能に蓋２０を取付け、この蓋２０の先端で巻紙１３を切断する形式のものである。
【００１８】
蓋２０は、巻紙１３の先をほぼ水平に引出したとき（図示せず。）の巻紙１３の先に載る横長部材２１と、この横長部材２１に設けると共に巻紙１３の先をほぼ鉛直に引き下げたときの巻紙１３の先に噛み込む刃部２２とからなる移動体２３を、蓋２０の先端に移動可能に取付け、横長部材２１を巻紙１３のほぼ外周に沿って斜めに昇降させる斜めガイド部２４を蓋２０側に設けた。
【００１９】
また、蓋２０は蓋基部２５を軸２６で固定し、突起部２７の突起部の一端２８と巻紙の一端２９を接触させて巻紙１３を上方より押える。
なお、１５は基部裏面、１６、１７は基部裏面１５を壁１１に固定するねじ、１８は巻紙１３の巻胴、１９は基部上面である。
さらに、蓋前部３０は、蓋前方側面部３１と斜めガイド部２４を嵌合させ、斜めガイド部２４をスライドさせる。
【００２０】
図３は図２の３線断面図であり、蓋前部３０の蓋前方側面部３１の凸部３２と斜めガイド部２４の凹部３３の嵌合する状態を示す。
この状態で、斜めガイド部２４は、動かない蓋前部３０の蓋前方側面部３１の凸部３２を使って、図面表裏方向にスライドする。
【００２１】
次に、本発明の作用を説明する。
図４は巻紙の先を前方へ引出す場合の作用図である。
指４１で巻紙の先４２を矢印Ｄの如く前方へ引出すと、移動体２３は、巻紙の先４２の巻紙の先の一部４３に横長部材２１の底面４４を載せることにより、横長部材２１に設けた刃部２２を巻紙１３からわずかに離すことができる。
【００２２】
同時に、横長部材２１と刃部２２からなる移動体２３は、刃部２２に連結する斜めガイド部２４のスライドに合わせて矢印Ｅの如く斜め上方に動く。なお、このとき、突起部の一端２８と巻紙の一端２９は接触したままである。
この結果、巻紙１３の巻紙の先４２は必要量だけいくらでも引出すことができる。また、使用者は巻紙の先４２を片手のみで操作することができる。
【００２３】
図５は巻紙を切取る場合の作用図である。
指４１で巻紙の先４２を矢印Ｆの如くほぼ鉛直に引き下げると、蓋２０の先端の横長部材２１及び刃部２２とからなる移動体２３は、刃部２２に連結する斜めガイド部２４のスライドに合わせて図４の状態から矢印Ｇの如く斜め下方へ移動し刃部２２を巻紙の一端４５に噛み込ませることができる。
【００２４】
次に、巻紙の先４２を矢印Ｈの如く下げると、使用者は巻紙の先４２を切取ることができる。
このとき、突起部の一端２８と巻紙の一端２９は接触したままである。横長部材の底面４４と巻紙の先４２の距離はｔ１だけ空く。
この結果、巻紙の先４２は、片手のみで図４で引出した必要量だけ容易に切取ることができる。
【００２５】
図６は刃部の食込みを解除するときの作用図であり、使用者は、手４６で巻紙１３を矢印Ｊ及びＫの如く斜め上方に動かして巻胴１８を支軸１４から離すと、突起部２７の突起部の一端２８と巻紙の一端２９の接触部を距離ｔ２だけ持上げ、蓋２０を矢印Ｌの如く上方へ動かす。
この結果、移動体２３の刃部２２は巻紙１３から距離ｔ３だけ浮き、刃部２２の巻紙１３への噛み込みを解除することができる。また、巻紙１３は、次の使用の為の取り代を確保することができる。
さらに、新しい巻紙の交換は、以上と同じ要領で行うことができる。
【００２６】
以上に述べた図４〜図６に基づいて、横長部材２１と刃部２２とからなる移動体２３、移動体２３に連結し移動体２３の動きに追従する斜めガイド部２４、上下スイング可能に取付けた蓋２０を含む紙巻器１０は、片手で巻紙の先４２をほぼ水平に引き、続いて巻紙１３の先を下方へ引き刃部２２を巻紙の一端４５に噛み込ませ、さらに巻紙の先４２を下方へ引く単純な操作のみで、必要量の巻紙１３を切取ることができる。
したがって、本発明は、片手のみで操作することができ、巻紙の引出し及び切断動作を誤動作無く円滑に行うことができる紙巻器を提供することができる。
【００２７】
尚、本発明の紙巻器１０の蓋２０は、自体が上下スイング可能で、先端に横長部材２１と刃部２２とからなる移動体２３を備えれば良く、細かな形状は問わない。
また、斜めガイド部２４は本発明では円弧状で蓋前方側面部３１と円弧運動をするが、
別に斜め運動でも良いため形状が円弧状でなくても良い。
さらに、蓋２０の材質は刃部２２の加工のできるものであれば金属でも樹脂でも良い。
【産業上の利用可能性】
【００２８】
本発明のは、片手だけで操作可能なトイレットペーパーやキッチンペーパーなどの巻紙の紙巻器に好適である。
【図面の簡単な説明】
【００２９】
【図１】本発明に係る紙巻器の斜視図である。
【図２】図１の断面図である。
【図３】図２の３線断面図である。
【図４】巻紙の先を前方へ引出す場合の作用図である。
【図５】巻紙を切取る場合の作用図である。
【図６】刃部の食込みを解除するときの作用図である。
【図７】従来の技術の基本構成を説明する図である。
【図８】従来技術においてシートカバーを上方に起立させたときの説明図である。
【符号の説明】
【００３０】
１０…紙巻器  、１２…紙巻器基部  、１３…巻紙  、１４…支軸  、２０…蓋  、２１…横長部材  、２２…刃部  、２３…移動体  、２４…斜めガイド部  、２６…軸  、２７…突起部  、３２…凸部  、３３…凹部  、４２…巻紙の先。
【図１】
2005230105.tif 000003
【図２】
2005230105.tif 000004
【図３】
2005230105.tif 000005
【図４】
2005230105.tif 000006
【図５】
2005230105.tif 000007
【図６】
2005230105.tif 000008
【図７】
2005230105.tif 000009
【図８】
2005230105.tif 000010